(57)【要約】【課題】  遊技機本体の前面に設けられる部材との干渉を回避しつつワイドに画面表示可能な表示装置を備えた遊技機を提供することである。【解決手段】  図柄変動表示装置５７が、立脚部６０ｆを介して立ち上がる装飾枠本体６０Ａの前面上部に、遊技機本体の前面をなすガラス扉枠４を左右に跨ぐように取り付けられているので、表示装置５７とガラス扉枠４との間に空間が形成され、簡単な構造で遊技領域１４との干渉を回避しつつ、ワイドで見易い画面表示を行うことができる。【選択図】        図１
2006149552.tif 000002
【特許請求の範囲】
【請求項１】
画面表示可能な表示装置を備えた遊技機において、
前記表示装置が、遊技機本体の前面に設けられる所定部材より前方にてその所定部材の少なくとも一部と正面視で重なり合って配設されたことを特徴とする遊技機。
【請求項２】
前記表示装置が前記本体前面にて所定方向に跨って配設されたことを特徴とする請求項１に記載の遊技機。
【請求項３】
前記本体前面の少なくとも一部を覆う装飾枠を備え、
その装飾枠に前記表示装置が前記本体前面を所定方向へ跨ぐように取り付けられたことを特徴とする請求項２に記載の遊技機。
【請求項４】
前記本体には、その前面を所定方向に跨ぐブリッジ状の張出し部が設けられ、
その張出し部に前記表示装置が取り付けられたことを特徴とする請求項２に記載の遊技機。
【発明の詳細な説明】
【技術分野】
【０００１】
本発明は、パチンコ遊技機、スロットマシン、パチロット遊技機等の各種の遊技機に関するものである。
【背景技術】
【０００２】
近年、従来に比べて遊技領域を大型化したパチンコ遊技機が実用化されている。例えば、図３１に示す従来のパチンコ遊技機５０１では、遊技領域５１４を臨む略円形の窓部５４１が設けられたガラス扉枠５０４下部に上皿５５４を一体的に設けると共に、遊技領域５１４とガラス扉枠５０４の上端又は左右両端から遊技領域５１４までの最小距離を５０ｍｍ程度まで縮小することにより、遊技領域５１４の直径を従来よりも約６０ｍｍ長い４４０ｍｍ程度に拡大されている。このパチンコ遊技機５０１によれば、大型の遊技領域５１４内を遊技球が落下することによるダイナミックな遊技を楽しめるようになっている。
【０００３】
一方、遊技機には、遊技者が長時間に亘って退屈させることなく遊技を楽しめるようにするために、遊技領域内に設けられた図柄変動表示装置とは別に、遊技場側から送信されるニュース、天気予報、広告情報、お知らせ等各種の情報を画面表示可能な表示装置を配設したものが提案されている（例えば、特許文献１参照。）。
【０００４】
さらに、前面に設けられるガラス扉枠において、ガラス板を除く全域に亘って有機ＥＬ表示器を配置する構成として、演出効果並びに装飾効果を高め、表示装置の表示態様をより効果的に演出することを可能としたパチンコ遊技機が提案されている（例えば、特許文献２参照。）。
【特許文献１】特開２０００−３３１７２号公報
【特許文献２】特開２００４−３３４２４号公報
【発明の開示】
【発明が解決しようとする課題】
【０００５】
しかしながら、図３１に示す従来のパチンコ遊技機５０１では、ガラス扉枠５０４において遊技領域５１４が占める割合が大きくなり、各種情報表示や演出表示を行う表示装置を配設するためのスペースを確保することが困難となっているという問題がある。さらに、表示装置を大型化することにより、表示される情報量を増大させたり、多彩な演出表示を行いたいとの要求があるが、従来の遊技機では、そのような要求を十分に満たすことができなかった。尚、特許文献２のパチンコ遊技機では、遊技領域の周囲に表示領域を設けるため、遊技領域を拡大するのに伴って表示領域が小さくなり、遊技領域及び表示装置の双方の大型化を両立することができない点や、画面全体が本体前面と平行となっているため、画面表示を視認しづらく、遊技者の視界に入り難い場合がある点等の欠点がある。
【０００６】
解決しようとする課題は、遊技機本体の前面に設けられる部材との干渉を回避しつつワイドに画面表示可能な表示装置を備えた遊技機を提供することである。
【課題を解決するための手段】
【０００７】
以下、上記課題を解決するのに適した各手段につき、必要に応じて作用効果等を付記しつつ説明する。
１．画面表示可能な表示装置を備えた遊技機において、
前記表示装置が、遊技機本体の前面に設けられる所定部材より前方にてその所定部材の少なくとも一部と正面視で重なり合って配設されたことを特徴とする遊技機。
手段１によれば、画面表示可能な表示装置が遊技機本体の前面に設けられる所定部材より前方にてその所定部材の少なくとも一部と正面視で重なり合って配設されているので、本体前面に設けられる所定部材との干渉を回避しつつ、ワイドで見易い画面表示を行うことができる。また、表示装置が大きく設けられることによって、表示可能な情報量を増大させたり、多彩な演出表示を行うことが可能となり、遊技の興趣をより一層向上させることができる。尚、本体前面に設けられる所定部材とは、遊技機本体の前面に配設される各種の部材を意味しており、例えば、遊技領域、スピーカ、電飾部材、表示装置等が含まれる。
【０００８】
２．前記表示装置が前記本体前面にて所定方向に跨って配設されたことを特徴とする手段１に記載の遊技機。
手段２によれば、画面表示可能な表示装置が本体前面を所定方向（左右又は上下若しくは斜め方向）に跨って配設されているので、本体前面に設けられる遊技領域等の所定部材との干渉を回避しつつ、ワイドで見易い画面表示を行うことができる。また、表示装置が所定方向に大きく設けられることによって、表示可能な情報量を増大させたり、多彩な演出表示を行うことが可能となり、遊技の興趣をより一層向上させることができる。
【０００９】
３．前記本体前面の少なくとも一部を覆う装飾枠を備え、
その装飾枠に前記表示装置が前記本体前面を所定方向へ跨ぐように取り付けられたことを特徴とする手段２に記載の遊技機。
手段３によれば、本体前面の少なくとも一部を覆う装飾枠に本体前面を所定方向へ跨ぐように表示装置が取り付けられているので、簡単な構造で本体前面に設けられる所定部材との干渉を回避しつつ、ワイドで見易い画面表示を行うことができる。また、表示装置を装飾枠側に設けることによって、多くの部材が取り付けられる本体側における重量負担が軽減される。例えば、パチンコ遊技機において、遊技領域を臨む窓部を有する本体側のガラス扉枠を覆うように装飾枠を設け、その装飾枠にガラス扉枠前面を左右に跨ぐように表示装置を取り付ける構成としてもよい。
【００１０】
４．前記装飾枠は、前記本体側へ突設された立脚部を有し、その立脚部を介して前記本体から立ち上がるように構成されたことを特徴とする手段３に記載の遊技機。
手段４によれば、本体から立脚部を介して立ち上がる装飾枠に、本体前面を所定方向へ跨ぐように表示装置が取り付けられているので、表示装置と本体との間に空間が形成され、簡単な構造で本体前面に設けられる所定部材との干渉を回避しつつ、ワイドで見易い画面表示を行うことができる。
【００１１】
５．前記装飾枠には、前記本体前面を所定方向へ跨ぐブリッジ状の張出し部が設けられ、
その張出し部に前記表示装置が取り付けられたことを特徴とする手段３又は４に記載の遊技機。
手段５によれば、装飾枠に設けられた本体前面を所定方向へ跨ぐブリッジ状の張出し部に表示装置が取り付けられることにより、表示装置と本体との間に空間が形成され、簡単な構造で本体前面に設けられる所定部材との干渉を回避しつつ、ワイドで見易い画面表示を行うことができる。また、表示装置が遊技者側へ張り出して設けられるため、迫力ある視覚的効果が発揮される。さらに、例えば、張出し部が左右方向へ跨って設けられる構成では、張出し部と本体前面との間に上下に開放された空間部が形成されるため、本体前面において必要な明るさが確保されて快適に遊技を楽しむことができる。
【００１２】
６．前記装飾枠は、前記本体に対して開閉可能に設けられたことを特徴とする手段３乃至５のいずれかに記載の遊技機。
手段６によれば、装飾枠を本体側へ閉じることにより表示装置が所定部材を所定方向に跨ぐ構造が形成される。一方、装飾枠を本体側から開放することにより、本体前面へ容易にアクセス可能となり、遊技機のメンテナンス作業等を円滑に行うことができる。
【００１３】
７．前記本体には、その前面を所定方向に跨ぐブリッジ状の張出し部が設けられ、
その張出し部に前記表示装置が取り付けられたことを特徴とする手段２に記載の遊技機。
手段７によれば、本体前面を所定方向に跨ぐブリッジ状の張出し部に表示装置が取り付けられることにより、表示装置の取り付け強度を確保しつつ、所定部材を所定方向に跨ぐ構造を実現することができる。また、表示装置が遊技者側へ張り出して設けられるため、迫力ある視覚的効果が発揮される。さらに、例えば、張出し部が左右方向へ跨って設けられる構成では、張出し部と本体前面との間に上下に開放された空間部が形成されるため、本体前面において必要な明るさが確保されて快適に遊技を楽しむことができる。例えば、パチンコ遊技機において、本体の遊技領域を臨む窓部が設けられるガラス扉枠の上部に遊技領域を跨ぐように張出し部を設け、その張出し部の前面に表示装置を取り付ける構成としてもよい。パチロット遊技機やスロットマシンにおいて、回転リールを臨む窓部が設けられるフロントパネルの上部にスピーカ等を跨ぐように張出し部を設け、その張出し部の前面に表示装置を取り付ける構成としてもよい。
【００１４】
８．前記表示装置は、前記本体側に設けられた遊技領域を所定方向に跨ぐように配設されたことを特徴とする手段２乃至７のいずれかに記載の遊技機。
手段８によれば、本体側に設けられた遊技領域を所定方向に跨ぐように表示装置が配設されているので、遊技領域との干渉が確実に回避され、遊技領域の大型化と表示装置の大型化との両立が可能となる。また、常に遊技者によって注視される遊技領域の近傍に表示装置が設けられるので、画面表示が遊技者の視界に入り易く、より一層効果的に情報表示や演出表示を行うことができる。
【００１５】
９．前記表示装置は、前記本体前面の上部に配設されたことを特徴とする手段１乃至８のいずれかに記載の遊技機。
手段９によれば、表示装置が本体前面の上部に配設されているので、当該部分に配設される部材、例えば、遊技領域の上部や電飾部材等との干渉が回避されると共に、遊技者から見易い位置で画面表示を行うことができる。
【００１６】
１０．前記表示装置は、遊技者の視線方向に向けて傾斜配置されたことを特徴とする手段１乃至９のいずれかに記載の遊技機。
手段１０によれば、表示装置が遊技者の視線方向に向けて傾斜配置されているので、遊技者は画面表示を容易に視認することができる。
【００１７】
１１．前記表示装置は、所定の傾斜角となるように回動可能に設けられたことを特徴とする手段１乃至１０のいずれかに記載の遊技機。
手段１１によれば、表示装置は、所定の傾斜角となるように回動可能に設けられているので、各遊技者が自分の視線方向と一致するように表示装置の傾斜角を調整して画面表示をより一層視認し易くすることができる。
【００１８】
１２．前記表示装置は、液晶ディスプレイからなることを特徴とする手段１乃至１１のいずれかに記載の遊技機。
手段１２によれば、表示装置が液晶ディスプレイからなるので、高精細で見易い画面表示を行うことができる。
【００１９】
１３．前記表示装置は、ＥＬディスプレイからなることを特徴とする手段１乃至１１のいずれかに記載の遊技機。
手段１３によれば、表示装置がＥＬディスプレイからなるので、高輝度で見易い画面表示を行うことができる。また、ＥＬディスプレイは可撓性を有する材質からなるので、アーチ状に湾曲させて配設することができる。
【００２０】
１４．前記表示装置は、ＬＥＤディスプレイからなることを特徴とする手段１乃至１１のいずれかに記載の遊技機。
手段１４によれば、表示装置がＬＥＤディスプレイからなるので、安価な構成で明るく見易い画面表示を行うことができる。
【００２１】
１５．前記表示装置は、タッチパネル式ディスプレイからなることを特徴とする手段１乃至１４のいずれかに記載の遊技機。
手段１５によれば、表示装置がタッチパネル式ディスプレイからなるので、遊技者が指で表示装置の画面に触れることによって容易に各種の入力操作を行うことができる。
【００２２】
１６．前記表示装置は、所定の遊技の実行に関連して画面表示するように構成されたことを特徴とする手段１乃至１５のいずれかに記載の遊技機。
手段１６によれば、遊技者により注視される所定の遊技の実行に関連した画面表示を本体前面にてワイドに見易く表示することができるので、遊技の興趣をより一層向上させることができる。
【００２３】
１７．前記表示装置は、複数の図柄列が変動表示される図柄変動表示装置によって構成されたことを特徴とする手段１６に記載の遊技機。
手段１７によれば、遊技者によって注視される複数の図柄列の変動表示を、本体前面にて大きく且つ見易く表示することができる。例えば、変動表示される複数の図柄列のうち、１つを除く他の図柄列の停止時の組合せが大当り図柄の組合せであるリーチ遊技状態となったときに、本体前面にてワイドにリーチ演出表示を行うことができるので、遊技者における大当り発生の期待感を効果的に高めることができる。また、全ての図柄列の停止時の組合せが大当り図柄の組合せである大当り遊技状態となったときに、本体前面にてワイドに大当り演出表示を行うことができるので、遊技の興趣を効果的に高めることができる。
【００２４】
１８．前記表示装置は、外部より受信した表示用データに基づいて画面表示を行うように構成されたことを特徴とする手段１乃至１７のいずれかに記載の遊技機。
手段１８によれば、表示装置は、外部（例えば、遊技ホールに設置されて各遊技機と接続されるホールサーバ等）より受信した広告宣伝情報、ニュース、お知らせ等に関する表示用データに基づいて各種の情報を、本体前面にてワイドに画面表示することができる。
【００２５】
１９．前記表示用データは、インターネット等の通信回線を介して受信されることを特徴とする手段１８に記載の遊技機。
手段１９によれば、インターネット等の通信回線を介して受信された広告宣伝情報、ニュース、お知らせ等に関する表示用データに基づいて各種の情報を、本体前面にてワイドに画面表示することができる。
【００２６】
２０．前記遊技機は、パチンコ遊技機であることを特徴とする手段１乃至１９のいずれかに記載の遊技機。
手段２０によれば、パチンコ遊技機において、本体前面に設けられる所定部材、例えば、遊技球が打ち込まれる遊技領域を臨む窓部等との干渉を回避しつつ、ワイドで見易い画面表示を行うことができる。
【００２７】
２１．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１乃至１９のいずれかに記載の遊技機。
手段２１によれば、パチロット遊技機において、本体前面に設けられる所定部材、例えば、回転リールを臨む窓部やスピーカ等との干渉を回避しつつ、ワイドで見易い画面表示を行うことができる。
【００２８】
２２．前記遊技機は、スロットマシンであることを特徴とする手段１乃至１９のいずれかに記載の遊技機。
手段２２によれば、スロットマシンにおいて、本体前面に設けられる所定部材、例えば、回転リールを臨む窓部やスピーカ等との干渉を回避しつつ、ワイドで見易い画面表示を行うことができる。
【発明の効果】
【００２９】
本発明によれば、画面表示可能な表示装置が遊技機本体の前面に設けられる所定部材より前方にてその所定部材の少なくとも一部と正面視で重なり合って配設されているので、本体前面に設けられる所定部材（例えば、遊技領域、スピーカ、電飾部材、表示装置等）との干渉を回避しつつ、ワイドで見易い画面表示を行うことができる。また、表示装置が大きく設けられることによって、表示可能な情報量を増大させたり、多彩な演出表示を行うことが可能となり、遊技の興趣をより一層向上させることができる。
【発明を実施するための最良の形態】
【００３０】
以下、本発明の遊技機を具体化した各実施形態について説明する。最初に、第一の実施形態であるパチンコ遊技機（以下、単に「パチンコ機」と称する）１について説明する。パチンコ機１は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としての図示しないプリペイドカードを投入可能なカード投入口２１を有し、プリペイドカードから金額情報の読み出し及び書き込みが可能となっている。
【００３１】
パチンコ機１は、図１乃至図４に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成され、本体枠３を矩形開口内にて開閉可能に支持している。また、外枠２前面下部には、合成樹脂、具体的にはＡＢＳ（アクリロニトリル−ブタジエン−スチレン）樹脂からなり、前方へ突出形成された左右一対の脚状部６７ａ，６７ａを有する下部装飾部材６７が取り付けられている。また、左右一対の脚状部６７ａ，６７ａの下面には弾性体としてのゴム部材６７ｃ，６７ｃが取り付けられており、脚状部６７ａ，６７ａがゴム部材６７ｃ，６７ｃにてパチンコ機１が載置される床面（遊技機島台の載置面）に当接するように設けられている。尚、本実施の形態では、外枠２は木製であって、上下方向の長さは８０８ｍｍ、左右方向の長さは５２０ｍｍとなっている。
【００３２】
本体枠３は、合成樹脂、具体的にはＡＢＳ樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。
【００３３】
本体枠３には、後述する下皿ユニット５１を除く本体枠３の前面側を覆うように、ガラス扉枠４が本体枠３左端の垂直軸心回りに開閉自在に設けられている。さらに、本体枠３には、装飾枠６０が本体枠３上端の水平軸心回りに開閉自在に設けられている。尚、装飾枠６０を除き、外枠２、本体枠３及びガラス扉枠４を主要構成とするパチンコ機１の全ての部分が、本発明の遊技機本体を構成するものである。
【００３４】
本体枠３の後側（ガラス扉枠４の奥、外枠２の内側）には、図５に示すように、遊技盤５が着脱可能に装着されている。なお、遊技盤５は、その周縁部が本体枠３の裏側に当接した状態で取り付けられており、図５では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０等が配設されている。
【００３５】
尚、後述する図柄変動表示装置５７の制御を行う表示制御基板や、スピーカ５９における音声出力の制御を行う音声制御基板を含む各種の制御基板は、図４に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００３６】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９から出力される効果音によって報知される。
【００３７】
また、周知のとおり、前記一般入賞口６、可変入賞装置７、作動チャッカー８に遊技球Ｂが入賞することに基づいて、後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００３８】
さて、本体枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００３９】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域の外延が確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図７参照）。
【００４０】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。尚、遊技領域１４が、本発明の所定部材を構成するものである。
【００４１】
併せて、図１及び図６に示すように、ガラス扉枠４の存在していない本体枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００４２】
次に、ガラス扉枠４について、図６及び図７を参照しつつ説明する。ガラス扉枠４には、前記遊技領域１４の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００４３】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図７を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図７に示すように、その左右フレーム部分の裏側において、そのガラス扉枠４を補強するための例えば金属製の補強部材４３，４４が取り付けられている。
【００４４】
また、ガラス扉枠４の開閉軸線（軸支部）もパチンコ機１の正面から見て左側に上下に延びるように設定されている。詳しくは、ガラス扉枠４の背面図である図７に示すように、ガラス扉枠４の裏側から見て右側の上端部付近に回動軸９１が設けられ、図７に示すように本体枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００４５】
また、ガラス扉枠４には、裏側から一対のガラス板４２が並行して取り付けられている。ガラス扉枠４の左右方向の長さは、本体枠３とほぼ同等であり、そのガラス扉枠４によって本体枠３下部に設けられた下皿ユニット５１を除く殆どの部分が覆われるようになっている。
【００４６】
ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００４７】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるようにに湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。尚、図８（ａ）は上皿５４の平面図、（ｂ）は（ａ）の上皿５４のＡ−Ａ線断面図である。
【００４８】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００４９】
ここで、上皿５４の貯留部５４ａにおける遊技球Ｂの流れについて、図９を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００５０】
次に、装飾枠６０について、図１０乃至図１３を参照しつつ説明する。装飾枠６０は、合成樹脂の成形加工により四方連携状に形成され且つ背面の各コーナー近傍（４箇所）に立脚部６０ｆが突設された装飾枠本体６０Ａと、鋼材やアルミダイキャスト等の金属材料によりガラス扉枠４の窓部４１を囲むフレーム状に形成され且つ装飾枠本体６０Ａの立脚部６０ｆに取り付け固定されるベース部材６０Ｂとを備え、ガラス扉枠４の窓部４１の隠蔽を回避しつつ、ガラス扉枠４の前側表面の略全域を立ち上がった状態で覆うよう構成されている。ここで、図１０（ａ）は、装飾枠本体６０Ａの正面図であり、図１０（ｂ）は図柄変動表示装置５７における表示例である。また、図１１（ａ）は、ベース部材６０Ｂを示す正面図である。尚、装飾枠本体６０Ａは、各コーナー近傍（４箇所）に突設された立脚部６０ｆにおいてベース部材６０Ｂ前面に固定される。具体的には、装飾枠本体６０Ａの各立脚部６０ｆにネジ孔６０ｇが形成され、ビス６０ｈを背面側からベース部材６０Ｂの各コーナー（４箇所）に形成された取り付け孔６０ｅを通してネジ孔６０ｇに螺着することによって装飾枠本体６０Ａがベース部材６０Ｂに固定される（図１１（ｂ）参照）。
【００５１】
装飾枠本体６０Ａの前面上部には、図１０（ａ）に示すように、図柄変動表示装置５７が配設されている。図柄変動表示装置５７は、装飾枠本体６０Ａ前面の左端近傍から右端近傍に亘る横長の長方形状を呈する液晶ディスプレイを備え、例えば、図１０（ｂ）に示すように、左図柄列、中図柄列及び右図柄列の３つの表示列が画面表示される。各図柄列は複数の図柄によって構成されており、これら図柄が各図柄列毎にスクロールされるように表示画面に可変表示されるようになっている。尚、図柄変動表示装置５７は、液晶ディスプレイからなるので、高精細で見易い画面表示を行うことができる。
【００５２】
ベース部材６０Ｂ下部中央には、遊技球の貸し出しに関する操作を行うための貸球操作部４６が配設されている。貸球操作部４６は、図１及び図１１（ａ）に示すように、遊技球の貸し出し可能状態をランプによって示す貸出ボタンランプ４６ａ、遊技球の貸し出しを行うための貸出ボタン４６ｂ、プリペイドカードの返却を行うための返却ボタン４６ｃ、プリペイドカードの残り度数を表示する度数表示ＬＥＤ４６ｄとを備えている。遊技者は、後述する装飾枠本体６０Ａの操作部用開口部６０ｃを介して露出する貸球操作部４６各部の視認及び貸出ボタン４６ｂや返却ボタン４６ｃの操作を行うことができる（図１参照）。
【００５３】
装飾枠本体６０Ａの略中央には、略円形状の窓部用開口部６０ａが形成され、ガラス扉枠４の窓部４１に装着されたガラス板４２を介して遊技領域１４を視認可能となっている。窓部用開口部６０ａの周囲には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、ガラス扉枠４に設ける構成や遊技盤５に設ける構成（コーナー飾りと称される電飾部材６２を遊技盤５のコーナー部等に配設する）としてもよいし、場合によっては本体枠３に設ける構成としてもよい。更には、前後一対のガラス４２間に配設する構成としてもよい。
【００５４】
装飾枠本体６０Ａの窓部用開口部６０ａの下方には、台形状の操作部用開口部６０ｂが形成され、ベース部材６０Ｂ上に配設された貸球操作部４６が操作部用開口部６０ｂにおいて前面側に露出している。装飾枠本体６０Ａの操作部用開口部６０ｂよりもさらに下方には、上皿５４前面を覆うように前方へ膨出形成された膨出部６３が設けられている。膨出部６３は、図９に示すように、装飾枠６０がガラス扉枠４に対して閉じた際に上皿５４を収容可能な空間が内部に形成されつつ、所望形状で前側（遊技者側）に膨出形成されたものであり、上皿５４上面を開口させる上皿用開口部６３ａが形成されている。この上皿用開口部６３ａにより、上皿５４に貯留された遊技球を取り出したり、或いは上皿５４の貯留部に遊技球を補充したりすることができる。また、膨出部６３の前面右寄りにレバー用開口部６３ｂが形成されている。上皿５４前面に配設された球抜きレバー５４ｇは、レバー用開口部６３ｂより前面側に露出し、遊技者によって左右にスライド操作可能とされる。また、膨出部６３には、左右において下方へ延設された一対の装飾枠延設部６４，６４が設けられている。本体枠３を外枠２側へ閉じ、更に装飾枠６０を本体枠３に対して閉じた際に、装飾枠延設部６４，６４が外枠２下部前面の左右に設けられた脚状部６７ａ，６７ａにてそれぞれ当接支持される。
【００５５】
尚、装飾枠延設部６４，６４下面に係合凸部６４ａ，６４ａが、下部装飾部材６７の脚状部６７ａ，６７ａ上面に係合凹部６７ｂ，６７ｂがそれぞれ整合するように設けられている。従って、装飾枠６０と下部装飾部材６７とを閉状態とした際に、係合凸部６４ａ，６４ａと係合凹部６７ｂ、６７ｂとが係合して装飾枠６０が脚状部６７ａ，６７ａにて強固に支持される。
【００５６】
また、本体枠３が外枠２に対し閉じられると自動的にロックがかかるようになっており、所定のキー操作が行われることによりロックが解除されるようになっている。同様に、ガラス扉枠４が本体枠３に対し閉じられると自動的にロックがかかり、別途のキー操作が行われることによりロックが解除されるようになっている。さらに同様に、装飾枠６０が本体枠３に対し閉じられると自動的にロックがかかり、別途のキー操作が行われることによりロックが解除されるようになっている。このようにロック及びロック解除を行うためのロック機構が本体枠３の右下部、つまり下皿ユニット５１の右端部に設けられている。ロック機構には、鍵穴を有するキーシリンダ（解除キー）５５、本体枠３及び外枠２間でのロック及び解除を行うための第２ロック機構が含まれる。本実施の形態では、最も幅狭で、遊技領域の拡張を阻害する本体枠の右中央部ではなく、比較的にスペースにゆとりのある本体枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００５７】
勿論、最も幅狭な部分以外であれば、上記以外の部位に設けてもよく、例えば、本体枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００５８】
また、ベース部材６０Ｂ上端には、折り曲げ板形状のヒンジ６５が左右一対に取り付けられており、装飾枠６０はヒンジ６５を介して本体枠３に対して水平軸心回りに（すなわち、上下に）開閉自在に枢着されている。尚、ヒンジ６５はベース部材６０Ｂ上端に配設されているが、これに代えて上部の左右両側面に配設してもよい。ここで、図１２は、装飾枠６０が上方へ開放されて水平姿勢となった状態を示している。また、図１３（ａ）は、装飾枠６０を上方に開放すると共にガラス扉枠４を左側へ開放し、この状態で装飾枠６０をガラス扉枠４の上端で支持させることにより、装飾枠６０を開放位置に保持した様子を示す図である。具体的には、図１３（ｂ）に示すように、ベース部材６０Ｂ背面に係合突起６０ｄが、ガラス扉枠４上端に係合突起６０ｄに整合する係合凹部４ａがそれぞれ形成され、係合突起６０ｄと係合凹部４ａとが係合することにより、上方に開放された装飾枠６０がガラス扉枠４上端に載置された状態が保持される。
【００５９】
ここで、パチンコ機１と遊技者の視界との関係について、図１４を参照しつつ説明する。図１４（ａ）は、パチンコ機１と遊技者の視界との関係を模式的に示す上面図、（ｂ）はその側面図である。図１４（ａ）に示すように、装飾枠６０の窓部用開口部６０ｂは、ガラス扉枠４の窓部４１よりも一回り小さい開口となっている。つまり、装飾枠６０の窓部開口部６０ｂを正面視でガラス扉枠４の窓部４１に一部が重なるように形成されている。尚、遊技領域１４は、図１４（ａ）に示すように、遊技者により所定の視野角を持って視認され、遊技領域１４の周縁部に対して遊技者の視線が斜めに注がれるので、装飾枠本体６０Ａ及び表示装置５７が遊技者の視界を妨げることがなく、装飾枠開口部６０ｂを通して遊技領域１４全体が視認される。また、図１４（ｂ）に示すように、遊技者は、装飾枠本体６０Ａに配設された表示装置５７における画面表示と遊技領域１４全体とを視認することができる。
【００６０】
以上詳述したことから明らかなように、本実施形態によれば、図柄変動表示装置５７が、立脚部６０ｆを介して立ち上がる装飾枠本体６０Ａの前面上部に、遊技機本体の前面をなすガラス扉枠４を左右に跨ぐように取り付けられているので、図柄変動表示装置５７とガラス扉枠４との間に空間が形成され、簡単な構造で遊技領域１４を臨む窓部４１との干渉を回避しつつ、ワイドで見易い画面表示を行うことができる。つまり、遊技領域１４を左右に跨ぐように図柄変動表示装置５７が配設されることにより、図柄変動表示装置５７が遊技機本体の前面に設けられる遊技領域１４より前方にて遊技領域１４の上部と正面視で重なり合う構造が形成され、遊技領域１４の大型化と図柄変動表示装置５７の大型化との両立が可能となる。また、常に遊技者によって注視される遊技領域１４の近傍に図柄変動表示装置５７が設けられるので、画面表示が遊技者の視界に入り易く、より一層効果的に情報表示や演出表示を行うことができる。また、図柄変動表示装置５７が左右に大きく設けられることによって、表示可能な情報量を増大させたり、多彩な演出表示を行うことが可能となり、遊技の興趣をより一層向上させることができる。例えば、変動表示される複数の図柄列のうち、１つを除く他の図柄列の停止時の組合せが大当り図柄の組合せであるリーチ遊技状態となったときに、本体前面の図柄変動表示装置５７にてワイドにリーチ演出表示を行うことができるので、遊技者における大当り発生の期待感を効果的に高めることができる。また、全ての図柄列の停止時の組合せが大当り図柄の組合せである大当り遊技状態となったときに、本体前面の図柄変動表示装置５７にてワイドに大当り演出表示を行うことができるので、遊技の興趣を効果的に高めることができる。
【００６１】
また、表示装置５７を装飾枠６０側に設けることによって、ガラス扉枠４側における重量負担が軽減される。また、装飾枠６０は、本体枠３に対して開閉可能に設けられているので、装飾枠６０を本体枠３側へ閉じることにより表示装置５７がガラス扉枠４前面を左右に跨ぐ構造が形成される。一方、装飾枠６０を本体枠３側から開放することにより、ガラス扉枠４及び本体枠３へ容易にアクセス可能となり、パチンコ機１のメンテナンス作業等を円滑に行うことができる。
【００６２】
次に、本発明の第二の実施形態について、図１５乃至図２０を参照しつつ説明する。第二の実施形態は、複数種類の図柄が表示された複数の回転リールを有し、各回転リールの回転停止時の図柄の組合わせに基づく入賞態様に応じて遊技球が払い出されるパチロット遊技機（以下、単に「パチロット機」と称する）である。本実施形態のパチロット機１０１は、図１５に示すように、正面側に開口すると共に、複数種類の図柄が表示された図示しない複数（３個）の回転リールが収容される本体枠１２０と、本体枠１２０の前面を覆うように左右に開閉可能に取り付けられ、ガラス板１４３ａが装着されて各回転リールの図柄を視認可能とされた表示窓１４３を有する合成樹脂製のフロントパネル１４０と、フロントパネル１４０前面の大部分を覆うように上下に開閉自在に設けられる装飾パネル１６０とを備えている。本体枠１２０前面下部には、合成樹脂、具体的にはＡＢＳ樹脂からなり、前方へ突出形成された左右一対の脚状部１６７ａ，１６７ａを有する下部装飾部材１６７が取り付けられている。尚、装飾パネル１６０が本発明の装飾枠を構成するものである。また、装飾パネル１６０を除き、本体枠１２０及びフロントパネル１４０を主要構成とするパチロット機１０１の全ての部分が、本発明の遊技機本体を構成するものである。また、本実施形態では、３個の回転リールにおいて表示窓１４３から視認される領域が遊技領域１１４である。
【００６３】
また、フロントパネル１４０の前面には、上部の左右に音声出力部１５９，１５９、払い出された遊技球を貯留する上皿１４４、払い出された遊技球又は上皿１４４より誘導された遊技球を受けて貯留する下皿１７０等が設けられている。尚、音声出力部１５９が、本発明の遊技機本体の前面に設けられる所定部材を構成するものである。音声出力部１５９には、図示しない接続コードを介して音声制御基板と電気的に接続されたスピーカ本体１５９ａが収納されている。また、音声出力部１５９においてスピーカ本体１５９ａの前面を覆うカバー１５９ｂには多数の小孔１５９ｃが形成されており、スピーカ本体１５９ａから出力される音声が遊技者から聞こえやすくなっている。上皿１４４の上面には、各回転リールの回転停止時の図柄の組合わせに基づく入賞態様に応じてフロントパネル１４０の払出し口１４５より払い出された遊技球及び遊技者により投入された遊技球を貯留する貯留部１４４ａ、払出し口１４５より払い出された遊技球を貯留部１４４ａへ流入させる流入口１４４ｌ、及び貯留部１４４ａに貯留された遊技球をフロントパネル１４０の供給穴１４９を通して本体側へ供給する供給口１４４ｒが設けられている。
【００６４】
装飾パネル１６０は、合成樹脂の成形加工により四方連携状に形成され且つ背面の各コーナー近傍（４箇所）に立脚部１６０ｆが突設された装飾パネル本体１６０Ａと、鋼材やアルミダイキャスト等の金属材料によりフロントパネル１４０の表示窓１４３を囲むフレーム状に形成され且つ装飾パネル本体１６０Ａの立脚部１６０ｆに取り付け固定されるベース部材１６０Ｂとを備え、フロントパネル１４０の表示窓１４３の隠蔽を回避しつつ、フロントパネル１４０の前側表面の略全域を立ち上がった状態で覆うよう構成されている。また、図１７（ａ）は、ベース部材１６０Ｂを示す正面図である。尚、装飾パネル本体１６０Ａは、図１６で点線により示される背面の各コーナー近傍（４箇所）に突設された立脚部１６０ｆにおいてベース部材１６０Ｂ前面に固定される。具体的には、装飾パネル本体１６０Ａの各立脚部１６０ｆにネジ孔１６０ｇが形成され、ビス１６０ｈを背面側からベース部材１６０Ｂの各コーナー（４箇所）に形成された取り付け孔１６０ｅを通してネジ孔１６０ｇに螺着することによって装飾パネル本体１６０Ａがベース部材１６０Ｂに固定される（図１７（ｂ）参照）。装飾パネル本体１６０Ａは、フロントパネル１４０の表示窓１４３より上方部分を覆う張出し部１６１と、フロントパネル１４０の表示窓１４３より下方部分を覆う膨出部１６３及び１６４とを備え、張出し部１６１と膨出部１６３及び１６４とが左右両側で上下に連結されて一体化された構造を有している。
【００６５】
より具体的に説明すると、装飾パネル本体１６０Ａ上部には、前方へ張り出し状に形成され且つフロントパネル１４０との間に空間部１６１ｈを有してフロントパネル１４０の前面上部を覆うように張出し部１６１が設けられ、張出し部１６１より後方へ左右一対の取り付け片１６２が延設されている。張出し部１６１は、音声出力部１５９，１５９を左右方向に跨ぐアーチ状の外観を呈しており、中央では前方に数ｃｍ〜十数ｃｍ程度張り出している。一対の取り付け片１６１には、折り曲げ板形状のヒンジ１６５がそれぞれ取り付けられており、装飾パネル１６０はヒンジ１６５を介して本体枠１２０に対して水平軸心回りに（すなわち、上下に）開閉自在に枢着されている。ここで、図１６は、装飾パネル１６０を本体枠１２０側へ閉じた状態を、図１８は、装飾パネル１６０を上方へ開放して水平姿勢とされた状態を示している。
【００６６】
張出し部１６１前面には情報表示部１５７が配設されている。尚、図１９は、張出し部１６１付近を示す正面図であり、図２０は、図１９におけるＣ−Ｃ線断面及び張出し部１６１と遊技者との位置関係を示す側面図である。情報表示部１５７は、張出し部１６１前面の左端近傍から右端近傍に亘る横長の長方形状を呈する液晶ディスプレイからなり、通信回線３０５を介してホールサーバ３０４から受信した表示用データに基づいて画面表示を行う。また、空間部１６１ｈ内で音声出力部１５９，１５９から音声が出力されて、音声が必要以上に周囲に広がらないので、当該遊技者には音声が明瞭に聴取され且つ周囲の遊技者には聴取されにくい。
【００６７】
装飾パネル本体１６０Ａの略中央には、長方形状の窓部用開口部１６０ａが形成され、フロントパネル１４０の表示窓１４３に装着されたガラス板１４３ａを介して回転リールの遊技領域１１４を視認可能となっている。窓用開口部１６０ａの下方には、上皿１４４前面を覆うように前方へ膨出形成された膨出部１６３が設けられている。膨出部１６３は、図１６，１７に示すように、装飾枠１６０がフロントパネル１４０に対して閉じた際に上皿１４４を収容可能な空間が内部に形成されつつ、所望形状で前側（遊技者側）に膨出形成されたものであり、上皿１４４上面を開口させる上皿用開口部１６３ａが形成されている。この上皿用開口部１６３ａにより、上皿１４４に貯留された遊技球を取り出したり、或いは上皿１４４の貯留部に遊技球を補充したりすることができる。膨出部１６３の下方には、下皿１７０前面を覆うように前方へ膨出形成された膨出部１６４が設けられている。膨出部１６４は、図１５，１６に示すように、装飾枠１６０がフロントパネル１４０に対して閉じた際に下皿１７０を収容可能な空間が内部に形成されつつ、所望形状で前側に膨出形成されたものであり、下皿１７０上面を開口させる下皿用開口部１６４ａが形成されている。この下皿用開口部１６４ａにより、下皿１７０に貯留された遊技球を取り出すことができる。装飾パネル１６０を本体枠１２０に対して閉じた際に、膨出部１６４下面が本体枠１２０下部前面の左右に設けられた脚状部１６７ａ，１６７ａにてそれぞれ当接支持される。
【００６８】
また、膨出部１６３の上面には、クレジットされている遊技球を投入するためのベットスイッチ１４６ａや、クレジットされている遊技球を払い出すためのキャンセルスイッチ１４６ｂが設けられている。また、膨出部１６３の前面は操作部１４７となっており、回転リールの回転起動操作を行うスタートレバー１４７ａ、及び左・中・右の回転リールにそれぞれ対応して設けられたストップスイッチ１４７ｂが設けられている。また、窓部用開口部１６０ａを挟む両側や、膨出部１６３前面には装飾ランプ１４２が配設されている。
【００６９】
次に、上述したパチロット機１０１を用いた情報提供システム３０１のシステム構成について、図２４を参照しつつ説明する。情報提供システム３０１は、図２４に示すように、遊技ホール外の情報提供センタ等に設けられる情報サーバ３０２と、情報サーバ３０２が接続されたインターネット網３０３と、遊技ホール側に設けられてインターネット網３０３に接続されたホールサーバ３０４と、遊技ホール内に設けられた通信線３０５と、遊技ホール内に設置されて通信線３０５を介してホールサーバ３０４と接続された複数のパチロット機１０１，・・１０１とから構成される。
【００７０】
情報サーバ３０２には、各種情報の表示用データが記憶されており、当該記憶された表示用データを、インターネット網３０３を介して各遊技ホールのホールサーバ３０４に対して定期的に配信する。情報サーバ３０２によって配信される表示用データは、地域の飲食店情報等の広告情報、ニュース、天気予報等である。ホールサーバ３０４は、インターネット網３０３を介して表示用データを受信して内部の記憶装置に記憶する。また、ホールサーバ３０４は、遊技ホールにおいて入力された表示用データをも記憶装置に記憶する。尚、遊技ホールにおいて入力される表示用データは、新台入れ替え情報、遊技機の新機種情報、景品情報、遊技ホールからのお知らせ等である。そして、ホールサーバ３０４は、記憶した表示用データを通信回線３０５を介して所定のタイミングで各パチロット機１０１へ送信する。各パチロット機１０１において、情報表示部１５７が受信した表示用データに基づいて画面表示を行う。図２５は、情報表示部１５７において、新台入れ替え情報を表示した例を示している。
【００７１】
以上詳述したことから明らかなように、本実施形態によれば、情報表示部１５７が、立脚部１６０ｆを介して立ち上がる装飾枠１６０の上部にて本体前面を左右に跨ぐように設けられたブリッジ状の張出し部１６１に取り付けられているので、情報表示部１５７とフロントパネル１４０との間に空間部１６１ｈが形成され、フロントパネル１４０の上部前面に設けられた音声出力部１５９との干渉を回避しつつ、ワイドで見易い画面表示を行うことができる。特に、情報表示部１５７が遊技者側へ張り出して設けられるため、迫力ある視覚的効果が発揮される。さらに、張出し部１６１とフロントパネル１４０前面との間に上下に開放された空間部１６１ｈが形成されるため、フロントパネル１４０前面に必要な明るさが確保されて快適に遊技を楽しむことができる。
【００７２】
次に、本発明の第三の実施形態について、図２１乃至図２３を参照しつつ説明する。尚、第二の実施形態で説明した図２４に示す情報提供システム３０１は、第三の実施形態においても共通に用いられるものとする。第三の実施形態の遊技機であるスロットマシン２０１は、図２１及び図２２に示すように、正面側に開口すると共に、複数種類の図柄が表示された複数（３個）の回転リール２２１が収容される本体キャビネット２２０と、本体キャビネット２２０の前面を覆うように左右に開閉可能に取り付けられ、各回転リール２２１の図柄を視認可能な表示窓２４３を設けたフロントパネル２４０と、フロントパネル２４０前面の大部分を覆うように上下に開閉自在に設けられる装飾パネル２６０とを備えている。本体キャビネット２２０前面下部には、合成樹脂、具体的にはＡＢＳ樹脂からなり、前方へ突出形成された左右一対の脚状部２６７ａ，２６７ａを有する下部装飾部材２６７が取り付けられている。また、装飾パネル２６０が本発明の装飾枠を構成するものである。また、装飾パネル２６０を除き、本体キャビネット２２０及びフロントパネル２４０を主要構成とするスロットマシン２０１の全ての部分が、本発明の遊技機本体を構成するものである。また、本実施形態では、３個の回転リール２２１において表示窓２４３から視認される領域が遊技領域２１４である。
【００７３】
本体キャビネット２２０は、天板、左右の側板、底板、裏板などから構成され、例えば、薄板板金素材を切断、孔あけ、曲げ加工等して所定のパネル形状に加工した後、これ等の部材を溶接して図示する正面側に開口する箱状に形成される。
【００７４】
フロントパネル２４０は、合成樹脂の成型加工によって、本体キャビネット２２０の開口部分を覆う扉状に形成される。フロントパネル２４０には、本体キャビネット２２０に収容された左・中・右の回転リール２２１の前面側に対向する位置に、ガラス板２４３ａが嵌め込まれた表示窓２４３が設けられ、各回転リール２２１に表示された図柄が視認可能となっている。フロントパネル２４０上部には、第１情報表示部２５７が配設されている。尚、第１情報表示部２５７が、本発明の遊技機本体の前面に設けられる所定部材を構成するものである。第１情報表示部２５７は、横長の長方形状を呈する大型の液晶ディスプレイからなり、通信回線３０５を介してホールサーバ３０４から受信した表示用データに基づいて画面表示を行う（図２４、２５参照）。フロントパネル２４０の高さ方向略中央部分は前方へ突出状に形成され、上面に遊技メダルを投入するためのメダル投入口２４６が設けられている。
【００７５】
フロントパネル２４０の下部には、各回転リール２２１の回転停止時の図柄の組合わせに基づく入賞態様に応じて払い出された遊技メダルを受けて貯留するメダル受皿２７０が設けられている。メダル受皿２７０は、合成樹脂の成型加工により上面が開口する箱状に形成されている。
【００７６】
装飾パネル２６０は、合成樹脂の成形加工により四方連携状に形成され且つ背面の各コーナー近傍（４箇所）に立脚部２６０ｆが突設された装飾パネル本体２６０Ａと、鋼材やアルミダイキャスト等の金属材料によりフロントパネル２４０の表示窓２４３を囲むフレーム状に形成され且つ装飾パネル本体２６０Ａの立脚部２６０ｆに取り付け固定されるベース部材２６０Ｂとを備え、フロントパネル２４０の表示窓２４３の隠蔽を回避しつつ、フロントパネル２４０の前側表面の略全域を立ち上がった状態で覆うよう構成されている。ベース部材２６０Ｂは、図１７に示す第二の実施形態におけるベース部材１６０Ｂと同様の形状を呈しており、装飾パネル本体２６０Ａはベース部材２６０Ｂの各コーナー（４箇所）に形成された取り付け孔を介して図示しないビス等によってベース部材２６０Ｂ前面に固定される。装飾パネル本体２６０Ａは、フロントパネル２４０の表示窓２４３より上方部分を覆う張出し部２６１と、フロントパネル２４０の表示窓２４３より下方部分を覆う膨出部２６３及び２６４とを備え、張出し部２６１と膨出部２６３及び２６４とが左右両側で上下に連結されて一体化された構造を有している。
【００７７】
より具体的に説明すると、装飾パネル本体２６０Ａの上部には、前方へ張り出し状に形成され且つフロントパネル２４０との間に空間部２６１ｈを有してフロントパネル２４０の前面上部を覆う張出し部２６１が設けられ、張出し部２６１より後方へ左右一対の取り付け片２６２が延設されている。張出し部２６１は、第１情報表示部２５７の上部を左右方向に跨ぐアーチ状の外観を呈しており、中央では前方に数ｃｍ〜十数ｃｍ程度張り出している。一対の取り付け片２６２には、折り曲げ板形状のヒンジ２６５がそれぞれ取り付けられており、装飾パネル２６０はヒンジ２６５を介して本体キャビネット２２０に対して水平軸心回りに（すなわち、上下に）開閉自在に枢着されている。ここで、図２２は、装飾パネル２６０を本体キャビネット２２０側へ閉じた状態を、図２３は、装飾パネル２６０を上方へ開放して水平姿勢とされた状態をそれぞれ示している。
【００７８】
張出し部２６１前面には、第２情報表示部２５８が配設されている。第２情報表示部２５８は、張出し部２６１の左端から右端に亘る横長の長方形状を呈する液晶ディスプレイからなり、第１情報表示部２５７と同様に、通信回線３０５を介してホールサーバ３０４から受信した表示用データに基づいて画面表示を行う（図２４、２５参照）。ここで、２つの情報表示部２５７，２５８における表示内容に関し、例えば、インターネット網３０３を介して情報サーバ３０２より配信された地域の飲食店情報等の広告情報、ニュース、天気予報等については、第１情報表示部２５７で表示を行い、ホールサーバ３０４より送信される新台入れ替え情報、遊技機の新機種情報、景品情報、遊技ホールからのお知らせ等については、第２情報表示部２５８で表示を行うように構成してもよい。
【００７９】
装飾パネル本体２６０Ａの略中央には、長方形状の窓部用開口部２６０ａが形成され、フロントパネル２４０の表示窓２４３に装着されたガラス板２４３ａを介して各回転リール２２１の遊技領域２１４を視認可能となっている。窓部用開口部２６０ａの下方には、前方に突出する台状の膨出部２６３が設けられている。この膨出部２６３の上面には、クレジットされている遊技メダルを投入するためのベットスイッチや、クレジットされているメダルを払い出すためのキャンセルスイッチ等を含む各種スイッチ２６３ａが設けられている。また、メダル投入口２４６に対応する箇所には開口が形成され、装飾パネル２６０が本体キャビネット２２０側へ閉じた状態でメダル投入口２４６が露出するようになっている。また、膨出部２６３の前面には、回転リール２２１の回転起動操作を行うスタートレバー２６３ｂ、及び左・中・右の回転リール２２１にそれぞれ対応して設けられたストップスイッチ２６３ｄが設けられている。また、フロントパネル２４０上下方向中央に設けられた膨出部２６３の下方の領域には、機種名称等が描かれた化粧パネル２６６が取り付けられている。
【００８０】
装飾パネル本体２６０Ａの下部には、メダル受皿２７０前面を覆うように前方へ膨出形成された膨出部２６４が設けられている。膨出部２６４は、図２２，２３に示すように、装飾パネル２６０がフロントパネル２４０に対して閉じた際にメダル受皿２７０を収容可能な空間が内部に形成されつつ、所望形状で前側に膨出形成されたものであり、メダル受皿２７０上面を開口させるメダル受皿用開口部２６４ａが形成されている。このメダル受皿用開口部２６４ａにより、メダル受皿２７０に貯留された遊技メダルを取り出すことができる。装飾パネル２６０を本体キャビネット２２０に対して閉じた際に、膨出部２６４下面が本体キャビネット２２０下部前面の左右に設けられた脚状部２６７ａ，２６７ａにてそれぞれ当接支持される。
【００８１】
以上詳述したことから明らかなように、本実施形態によれば、第２情報表示部２５８が、立脚部２６０ｆを介して立ち上がる装飾パネル２６０の上部にてフロントパネル２４０前面を左右に跨ぐように設けられたブリッジ状の張出し部２６１に取り付けられているので、第２情報表示部２５８とフロントパネル２４０との間に空間が形成され、フロントパネル２４０の上部前面に設けられた第１情報表示部２５７との干渉を回避しつつ、ワイドで見易い画面表示を行うことができる。
【００８２】
尚、本発明は上述した各実施の形態に限定されるものではなく、本発明の主旨を逸脱しない範囲で種々の変更を施すことが可能である。例えば、前記第一の実施形態において、装飾枠６０を設けることなく、ガラス扉枠４上部にブリッジ状の張出し部を設け、その張出し部に表示装置を設ける構成としてもよい。第一の変形例のパチンコ機１’は、図２６に示すように、外枠２と、その外枠２の前部に設けられ外枠２の一側部にて開閉可能に支持された本体枠３とを備え、本体枠３には、下皿ユニット５１を除く本体枠３の前面側を覆うように、ガラス扉枠４が開閉自在に設けられている。尚、後述する張出し部４７以外の外枠２，本体枠３及びガラス扉枠４を含むパチンコ機１’のすべての構成部材が本発明の遊技機本体を構成するものである。
【００８３】
また、ガラス扉枠４には、裏側から一対のガラス４２が並行して取り付けられている。ガラス扉枠４の左右方向の長さは、本体枠３とほぼ同等であり、そのガラス扉枠４によって本体枠３下部に設けられた下皿ユニット５１を除く殆どの部分が覆われるようになっている。ガラス扉枠４には、前記遊技領域１４の殆どを外部から視認することができるように略楕円形状の窓部４１が形成されている。具体的には、前記窓部４１は、その左右側の略中央部が、上下側に比べて比較的緩やかに湾曲した形状となっている。
【００８４】
ガラス扉枠４の前面上部には、前方へ張り出し状に形成され且つガラス扉枠４との間に空間部４７ｈを有する張出し部４７が設けられている。ここで、図２７は、張出し部４７付近を示す正面図、図２８は、図２７におけるＤ−Ｄ線断面及び張出し部４７と遊技者との位置関係を示す側面図である。張出し部４７は、遊技領域１４上部を左右方向に跨ぐブリッジ状の外観を呈しており、中央では前方に数ｃｍ〜十数ｃｍ程度張り出している（図２６参照）。また、張出し部４７前面には図柄変動表示装置５７が配設されている。図柄変動表示装置５７は、張出し部４７の左端から右端に亘る横長の長方形状を呈する液晶ディスプレイを備え、例えば、図２７に示すように、左図柄列、中図柄列及び右図柄列の３つの表示列が画面表示される。各図柄列は複数の図柄によって構成されており、これら図柄が各図柄列毎にスクロールされるように表示画面に可変表示されるようになっている。
【００８５】
これに対し、ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００８６】
ガラス扉枠４の窓部４１下方には、遊技球の貸し出しに関する操作を行うための貸球操作部４６が設けられている。貸球操作部４６は、図２６に示すように、遊技球の貸し出し可能状態をランプによって示す貸出ボタンランプ４６ａ、遊技球の貸し出しを行うための貸出ボタン４６ｂ、プリペイドカード２２の返却を行うための返却ボタン４６ｃ、プリペイドカード２２の残り度数を表示する度数表示ＬＥＤ４６ｄとを備えている。
【００８７】
ガラス扉枠４の周囲（例えばコーナー部分や窓部４１の周縁）には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。
【００８８】
以上詳述したことから明らかなように、本変形例によれば、ガラス扉枠４の上部に前面を左右に跨ぐブリッジ状の張出し部４７が設けられ、その張出し部４７に図柄変動表示装置５７が取り付けられることにより、表示装置５７の取り付け強度を確保しつつ、ガラス扉枠４前面の遊技領域１４上部を左右に跨ぐ構造を実現することができる。また、表示装置５７が遊技者側へ張り出して設けられるため、迫力ある視覚的効果が発揮される。さらに、張出し部４７とガラス扉枠４前面との間に上下に開放された空間部４７ｈが形成されるため、ガラス扉枠４前面において必要な明るさが確保されて快適に遊技を楽しむことができる。
【００８９】
また、図２９に示す第二の変形例のように、図柄変動表示装置５７の両端を回転自在に支持して、図柄変動表示装置５７が所定の傾斜角となるように上下に回動可能に配設してもよい。本変形例によれば、図柄変動表示装置５７が遊技者の視線方向となるように傾斜角を調整可能であるので、遊技者は、より一層容易に画面表示を視認することができる。
【００９０】
また、前記第一の実施形態では、図柄変動表示装置５７を液晶ディスプレイにより構成したが、図柄変動表示装置５７をＥＬディスプレイ（好ましくは、有機ＥＬディスプレイ。尚、ＥＬは、エレクトロルミネッセントの略。）により構成してもよい。ＥＬディスプレイを用いることにより、図柄変動表示装置５７が高輝度で見易い画面表示を行うことができる。或いは、図柄変動表示装置５７をＬＥＤディスプレイにより構成してもよい。ＬＥＤディスプレイを用いることにより、図柄変動表示装置５７が安価な構成で見易い画面表示を行うことができる。さらに、第二の実施形態において、情報表示部１５７をタッチパネル式ディスプレイにより構成してもよい。タッチパネル式ディスプレイを用いることにより、遊技者が指で情報表示部１５７の表面に触れることによって容易に各種の入力操作を行うことができる。入力操作としては、表示したい情報の選択入力を行えるようにしてもよいし、タッチパネル式ディスプレイ上に球貸しボタン等を設けて貸し球操作部を構成するようにしてもよい。
【００９１】
また、前記第一の実施形態の第一の変形例では、張出し部４７を左右方向へ跨って設けたが、図３０に示す第三の変形例のパチンコ遊技機１”のように、ガラス扉枠４の前面右端にて前方へ張り出し且つガラス扉枠４との間に空間部４７’ｈを有する張出し部４７’を、遊技領域１４の右端部分を上下方向に跨ぐブリッジ状の外観を呈するように設け、張出し部４７’上に縦長の表示装置５７’を配設するように構成してもよい。尚、遊技者から画面表示を視認し易くするために、表示装置５７’を左側へ所定角度傾斜させて配置することが好ましい。本変形例においても、表示装置５７’と遊技領域１４との干渉を回避しつつ、上下サイズの大きな表示装置５７’によりワイドで見易い画面表示を行うことができる。尚、張出し部４７’を、ガラス扉枠４前面にて遊技領域１４を斜め方向に跨ぐように配設する構成としてもよい。
【産業上の利用可能性】
【００９２】
本発明は、パチンコ遊技機、スロットマシン、パチロット遊技機等の各種の遊技機に適用可能である。
【図面の簡単な説明】
【００９３】
【図１】第一の実施形態としてのパチンコ機の正面図である。
【図２】（ａ）はパチンコ機の側面図であり、（ｂ）は装飾枠及びガラス扉枠の上部を側面視して示す断面図である。
【図３】パチンコ機の上面図である。
【図４】パチンコ機の背面側における斜視図である。
【図５】装飾枠及びガラス扉枠を開放した状態における本体枠、遊技盤等を示す正面図である。
【図６】ガラス扉枠を示す正面図である。
【図７】ガラス扉枠を示す背面図である。
【図８】（ａ）は上皿付近の上面図であり、（ｂ）はＡ−Ａ線断面図である。
【図９】上皿における遊技球の流れを示す上面図である。
【図１０】（ａ）は装飾枠本体を示す正面図であり、（ｂ）は図柄変動表示装置における表示例である。
【図１１】（ａ）は装飾枠のベース部材を示す正面図であり、（ｂ）は装飾枠本体が立脚部においてベース部材に対して固定される様子を示す断面図である。
【図１２】装飾枠を上方へ開放した状態を示す側面図である。
【図１３】（ａ）装飾枠が開放位置に保持された状態を示す側面図であり、（ｂ）は装飾枠とガラス扉枠との係合状態を示す拡大断面図である。
【図１４】パチンコ機と遊技者の視界との関係を模式的に示す図であり、（ａ）は上面図、（ｂ）は側面図である。
【図１５】第二の実施形態としてのパチロット機の正面側における斜視図である。
【図１６】パチロット機の装飾パネルを本体枠側へ閉じた状態を示す側面図である。
【図１７】（ａ）は装飾パネルのベース部材を示す正面図であり、（ｂ）は装飾パネル本体が立脚部においてベース部材に対して固定される様子を示す断面図である。
【図１８】パチロット機の装飾パネルを上方へ開放した状態を示す側面図である。
【図１９】パチロット機の装飾パネルにおける張出し部付近を示す正面図である。
【図２０】図１９におけるＣ−Ｃ線断面及び装飾パネルと遊技者との位置関係を示す側面図である。
【図２１】第三の実施形態としてのスロットマシンの正面図である。
【図２２】スロットマシンの装飾パネルを本体キャビネット側へ閉じた状態を示す側面図である。
【図２３】スロットマシンの装飾パネルを上方へ開放した状態を示す側面図である。
【図２４】パチロット機（又はスロットマシン）を用いた情報提供システムの全体構成を示すシステム構成図である。
【図２５】情報表示部において新台入れ替え情報を表示した例を示す図である。
【図２６】第一の実施形態の第一の変形例を示す正面側における斜視図である。
【図２７】第一の変形例における張出し部付近を示す正面図である。
【図２８】図２７におけるＤ−Ｄ線断面及び張出し部と遊技者との位置関係を示す側面図である。
【図２９】第二の変形例における張出し部と遊技者との位置関係を示す側面図である。
【図３０】第三の変形例を示す正面側における斜視図である。
【図３１】従来のパチンコ機の正面側における斜視図である。
【符号の説明】
【００９４】
１，１’，１”    パチンコ遊技機（遊技機）
２    外枠（本体）
３    本体枠（本体）
４    ガラス扉枠（本体）
１４    遊技領域
４１    窓部
４７，４７’    張出し部
５７    図柄変動表示装置（表示装置）
６０    装飾枠
６０Ａ  装飾枠本体
６０ｆ  立脚部
１０１    パチロット遊技機（遊技機）
１１４    遊技領域
１２０    本体枠（本体）
１４０    フロントパネル（本体）
１５７    情報表示部（表示装置）
１６０    装飾パネル（装飾枠）
１６１    張出し部
２０１    スロットマシン（遊技機）
２１４    遊技領域
２２０    本体キャビネット（本体）
２４０    フロントパネル（本体）
２６０    装飾パネル（装飾枠）
２６１    張出し部
２５７    第１情報表示部（表示装置）
２５８    第２情報表示部（表示装置）
【図１】
2006149552.tif 000003
【図２】
2006149552.tif 000004
【図３】
2006149552.tif 000005
【図４】
2006149552.tif 000006
【図５】
2006149552.tif 000007
【図６】
2006149552.tif 000008
【図７】
2006149552.tif 000009
【図８】
2006149552.tif 000010
【図９】
2006149552.tif 000011
【図１０】
2006149552.tif 000012
【図１１】
2006149552.tif 000013
【図１２】
2006149552.tif 000014
【図１３】
2006149552.tif 000015
【図１４】
2006149552.tif 000016
【図１５】
2006149552.tif 000017
【図１６】
2006149552.tif 000018
【図１７】
2006149552.tif 000019
【図１８】
2006149552.tif 000020
【図１９】
2006149552.tif 000021
【図２０】
2006149552.tif 000022
【図２１】
2006149552.tif 000023
【図２２】
2006149552.tif 000024
【図２３】
2006149552.tif 000025
【図２４】
2006149552.tif 000026
【図２５】
2006149552.tif 000027
【図２６】
2006149552.tif 000028
【図２７】
2006149552.tif 000029
【図２８】
2006149552.tif 000030
【図２９】
2006149552.tif 000031
【図３０】
2006149552.tif 000032
【図３１】
2006149552.tif 000033